(57)【要約】【課題】換気装置が換気運転を実行しても室内に居る人が寒さを感じることを抑制できる技術を提供する。【解決手段】空調システムは、室内の空気を換気する換気装置と、室内を暖房する暖房装置と、制御装置と、を備えている。制御装置は、換気装置が換気運転を開始する又は換気運転における風量を増量すると、その運転の変化内容を特定する情報に基づいて、暖房装置によって室内を暖房する暖房運転を開始する又は暖房運転における暖房熱量を増量する。【選択図】図２
2018048800.tif 000002
【特許請求の範囲】
【請求項１】
室内の空気を換気する換気装置と、
前記室内の温度を調節する空調装置と、
制御装置と、を備えており、
前記換気装置は、前記空調装置以外の外部装置の動作状態に基づいて、室内の空気を換気する換気運転を開始すること又は換気運転における風量を増量することが可能であり、
前記制御装置は、前記換気装置が換気運転を開始する又は換気運転における風量を増量すると、その運転の変化内容を特定する情報に基づいて、前記空調装置によって前記室内の温度を調節する空調運転を開始する又は空調運転における熱量を増量する、空調システム。
【請求項２】
前記外部装置として加熱調理装置を更に備えており、
前記換気装置は、前記加熱調理装置の動作に基づいて換気運転を開始する又は換気運転における風量を増量する、請求項１に記載の空調システム。
【請求項３】
前記空調装置は、前記室内を暖房する暖房装置であり、前記加熱調理装置のユーザーの足元に向けて温風を吹き出す吹出口を備えている、請求項２に記載の空調システム。
【請求項４】
前記外部装置として前記室内の空気質を検知する空気質検知装置を更に備えており、
前記空調装置は、燃料を燃焼させ、その燃焼物を室内に放出することによって暖房する暖房運転を実行可能な暖房装置であり、
前記換気装置は、前記空気質検知装置が検知した室内の空気質に基づいて換気運転を開始し又は換気運転における風量を増量し、
前記制御装置は、前記換気装置が室内の空気質に基づいて換気運転を開始したとき又は換気運転における風量を増量したとき、前記暖房装置が暖房運転を実行していない場合は暖房運転を開始せず、前記暖房装置が暖房運転を実行している場合は暖房運転における暖房熱量を維持する又は減量する、請求項１から３のいずれか一項に記載の空調システム。
【請求項５】
前記室内の温度を検出する温度センサを更に備えており、
前記空調装置は、前記温度センサで検出される前記室内の温度と目標空調温度に基づいて空調運転を実行するように構成されており、
前記制御装置は、前記換気装置が換気運転を開始する又は換気運転における風量を増量すると、その運転の変化内容を特定する情報に基づいて、換気運転における風量に応じて空調運転における温度補正値を設定することで、前記空調装置による空調運転を開始する又は空調運転における熱量を増量する、請求項１から４のいずれか一項に記載の空調システム。
【発明の詳細な説明】
【技術分野】
【０００１】
本明細書に開示する技術は、空調システムに関する。
【背景技術】
【０００２】
特許文献１に開示されている空調システムは、室内の空気を換気する換気装置を備えている。換気装置は、ガスコンロの動作に基づいて換気運転を開始する。
【先行技術文献】
【特許文献】
【０００３】
【特許文献１】特開２００２−１６８４９０号公報
【発明の概要】
【発明が解決しようとする課題】
【０００４】
換気装置が換気運転を開始すると、室外から外気が導入されると同時に、室内の空気が換気装置に吸い上げられて気流が発生する。そうすると、室内に居る人が気流によって冬季は寒さを感じ、夏季は暑さを感じることがある。そこで本明細書では、換気装置が換気運転を実行しても室内に居る人が寒さ又は暑さを感じることを抑制できる技術を提供する。
【課題を解決するための手段】
【０００５】
本明細書に開示する空調システムは、室内の空気を換気する換気装置と、室内の温度を調節する空調装置と、制御装置と、を備えている。換気装置は、空調装置以外の外部装置の動作状態に基づいて、室内の空気を換気する換気運転を開始すること又は換気運転における風量を増量することが可能であり、制御装置は、換気装置が換気運転を開始する又は換気運転における風量を増量と、その運転の変化内容を特定する情報に基づいて、空調装置によって室内の温度を調節する空調運転を開始する又は空調運転における熱量を増量する。
【０００６】
換気装置が外部装置の動作状態に基づいて換気運転を開始する又は換気運転における風量を増量すると、室外から外気が導入されると同時に、室内の空気が換気装置に吸い上げられて気流が発生する。そうすると、室内に居る人が気流によって冬季は寒さを感じ、夏季は暑さを感じるおそれがある。しかしながら、上記の構成によれば、換気装置が換気運転を開始する又は換気運転における風量を増量すると、制御装置が空調装置による空調運転を開始する又は空調運転における熱量を増量するので、例えば空調装置が暖房運転する場合は室内の空気が暖められる。また、例えば空調装置が冷房運転する場合は室内の空気が冷やされる。これによって、室内に居る人が寒さ又は暑さを感じることを抑制できる。なお、ここでいう熱量とは、例えば、空調装置が暖房運転する場合は暖房熱量（温熱量）であり、空調装置が冷房運転する場合は冷房熱量（冷熱量）である。この熱量は、温熱量と冷熱量の両方を含む概念である。また、室内の温度を調節するとは、例えば、空調装置が暖房運転する場合は室内の温度を上げることであり、空調装置が冷房運転する場合は室内の温度を下げることである。
【図面の簡単な説明】
【０００７】
【図１】実施例に係る空調システムが設置されている室の立面図である。
【図２】第１実施例に係る空調システムの動作を説明するための図である。
【図３】第２実施例に係る空調システムの動作を説明するための図である。
【図４】第３実施例に係る空調システムの動作を説明するための図である。
【図５】第４実施例に係る空調システムの動作を説明するための図である。
【図６】第５実施例に係る空調システムの動作を説明するための図である。
【図７】第６実施例に係る空調システムの動作を説明するための図である。
【発明を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【０００９】
（特徴１）本明細書に開示する空調システムは、外部装置として加熱調理装置を更に備えていてもよい。換気装置は、加熱調理装置の動作に基づいて換気運転を開始する又は換気運転における風量を増量してもよい。
【００１０】
一般的に換気装置は加熱調理装置の上方に設けられているので、加熱調理装置のユーザーが気流によって寒さを感じやすい。このような構成によれば、加熱調理装置のユーザーが寒さ又は暑さを感じることを抑制できる。
【００１１】
（特徴２）空調装置は、室内を暖房する暖房装置であり、加熱調理装置のユーザーの足元に向けて温風を吹き出す吹出口を備えていてもよい。
【００１２】
換気装置が換気運転を開始する又は換気運転における風量を増量すると、室内の空気が室外に排出されるとともに、室外の空気が室内に流れ込む。室外の空気が室内に流れ込むときに、加熱調理装置のユーザーの足元に空気が流れ込むことがある。室外の空気が冷たい場合は、特にユーザーの足元に空気が流れ込みやすくなる。ユーザーの足元に流れ込んだ冷たい空気は、換気装置によって吸い上げられる。加熱調理装置のユーザーの足元に向けて温風を吹き出す吹出口を設けることによって、ユーザーの足元から暖めることができるので、ユーザーの足元に冷たい空気が流れ込んだとしても、ユーザーが寒さを感じることを抑制できる。
【００１３】
（特徴３）本明細書に開示する空調システムは、外部装置として室内の空気質を検知する空気質検知装置を更に備えていてもよい。空調装置は、燃料を燃焼させ、その燃焼物を室内に放出することによって暖房する暖房運転を実行可能な暖房装置であってもよい。換気装置は、空気質検知装置が検知した室内の空気質に基づいて換気運転を開始し又は換気運転における風量を増量してもよい。制御装置は、換気装置が室内の空気質に基づいて換気運転を開始したとき又は換気運転における風量を増量したとき、暖房装置が暖房運転を実行していない場合は暖房運転を開始しなくてもよい。または、制御装置は、換気装置が室内の空気質に基づいて換気運転を開始し又は換気運転における風量を増量したとき、暖房装置が暖房運転を実行している場合は暖房運転における暖房熱量を維持し又は減量してもよい。
【００１４】
このような構成によれば、室内の空気質に基づいて室内の空気を換気することができる。例えば、何らかの原因で室内の空気質が悪化した場合に、換気装置によって室内の空気を換気することができる。一方、暖房装置が燃料を燃焼させ、その燃焼物を室内に放出する構成であると、暖房装置の暖房運転によって燃焼排ガスが発生し、その燃焼排ガスによって室内の空気質が悪化する可能性がある。そこで、上記の構成では、換気装置が室内の空気質に基づいて換気運転を開始し又は換気運転における風量を増量したとき、暖房装置が暖房運転を実行していない場合は暖房運転を開始しない。一方、暖房装置が暖房運転を実行している場合は暖房運転における暖房熱量を維持する又は減量する。これによって、例えば、何らかの原因で室内の空気質が悪化した場合に、それに基づいて換気装置が換気運転を開始又は換気運転における風量を増量した場合は、それ以上室内の空気質を悪化させないために、暖房装置が暖房運転を実行していない場合は暖房装置による暖房運転を開始しない。一方、暖房装置が暖房運転を実行している場合は暖房運転における暖房熱量を維持する又は減量する。このような構成によれば、暖房装置の暖房運転によって室内の空気質が更に悪化することを抑制できる。
【００１５】
（特徴４）空調システムは、室内の温度を検出する温度センサを更に備えていてもよい。空調装置は、温度センサで検出される室内の温度と目標空調温度に基づいて空調運転を実行するように構成されていてもよい。制御装置は、換気装置が換気運転を開始する又は換気運転における風量を増量すると、その運転の変化内容を特定する情報に基づいて、換気運転における風量に応じて空調運転における温度補正値を設定することで、空調装置による空調運転を開始する又は空調運転における熱量を増量してもよい。
【００１６】
一般的な空調装置は、温度センサで検出される室内の温度と目標空調温度の温度差を小さくするように、空調運転を実行する。このような空調装置では、例えば、目標空調温度に温度補正値を加算したり、温度センサの検出温度から温度補正値を減算すると、温度センサの検出温度と目標空調温度の温度差が大きくなり、その温度差を小さくするために、空調装置が空調運転を開始する又は空調運転における熱量を増量する。上記の構成では、制御装置が、換気運転における風量に応じて空調運転における温度補正値を設定することで、空調装置に、空調運転を開始させる又は空調運転における熱量を増量させる。このような構成によれば、制御装置による簡素な制御によって、空調装置による空調運転を開始する又は空調運転における熱量を増量することができる。
【００１７】
（実施例）
実施例に係る空調システム１について図面を用いて説明する。まず、冬季に空調システム１を使用する場合について説明する。図１に示すように、実施例に係る空調システム１は、ガスコンロ２０（外部装置の１つとしての加熱調理装置の一例）と、センサ４０（外部装置の１つとしての空気質検知装置の一例）と、レンジフード３０（換気装置の一例）と、ガスファンヒーター５０（空調装置の１つとしての暖房装置の一例）を備えている。
【００１８】
この空調システム１は、例えばマンションや戸建における室９に設置される。この室９の室内９０は、キッチン領域９１とダイニング領域９２に分けられる。キッチン領域９１では、ユーザーＵが調理を行うことができる。ダイニング領域９２では、ユーザーＵが食事を行うことができる。
【００１９】
ガスコンロ２０は、室内９０のキッチン領域９１に配置されている。ガスコンロ２０は、ガスを燃焼させた火力を利用して加熱調理をするための装置である。ガスコンロ２０は、バーナー２１と、操作部２２と、通信部２３を備えている。ガスコンロ２０は、バーナー２１の火力によって加熱調理をする。
【００２０】
操作部２２は、ガスコンロ２０のユーザーＵが点火と消火を切り換えることができるように構成されている。また、操作部２２は、バーナー２１の火力を「弱」、「中」、「強」に切り換えることができるように構成されている。ユーザーＵが操作部２２を操作することによってガスコンロ２０の火力の切り換えをすることができる。
【００２１】
ガスコンロ２０は、通信部２３を介して無線通信を行うことができる。ガスコンロ２０は、通信部２３を介してガスコンロ２０の動作状態に関する情報をレンジフード３０に送信することができる。例えば、ガスコンロ２０は、点火／消火の情報、および、火力「弱」、「中」、「強」の情報をレンジフード３０に送信することができる。
【００２２】
センサ４０は、室内９０の空気質を検知する装置である。センサ４０は、室内９０の空気質を継続的に検知している。センサ４０は、室内９０のキッチン領域９１に配置されている。センサ４０は、通信部４３を備えており、通信部４３を介して無線通信を行うことができる。センサ４０は、通信部４３を介して室内９０の空気質に関する情報をレンジフード３０に送信することができる。例えば、センサ４０は、後述する空気質の「正常」／「異常」の情報、および、「やや悪い」、「悪い」、「とても悪い」の情報をレンジフード３０に送信することができる。
【００２３】
センサ４０は、室内９０の空気質を所定の基準に照らして「正常」と「異常」に分類することができる。また、センサ４０は、室内９０の空気質が「異常」である場合に、それを更に「やや悪い」、「悪い」、「とても悪い」の３つに分類することができる。例えば、ユーザーＵがガスコンロ２０によって調理をしているときに煙が発生し、それによって室内９０の空気質が悪くなった場合、センサ４０は、検知した室内９０の空気質を「悪い（異常）」に分類する。また、例えば、後述するガスファンヒーター５０から燃焼排ガスが発生し、それによって室内９０の空気質がとても悪くなった場合、センサ４０は、検知した室内９０の空気質を「とても悪い（異常）」に分類する。また、例えば、キッチン領域９１のゴミ箱（図示省略）から異臭が発生し、それによって室内９０の空気質がとても悪くなった場合、センサ４０は、検知した室内９０の空気質を「とても悪い（異常）」に分類する。
【００２４】
レンジフード３０は、室内９０の空気を換気する装置である。レンジフード３０は、室内９０のキッチン領域９１に配置されている。レンジフード３０は、ガスコンロ２０の上方に配置されている。レンジフード３０は、ファン３１と、操作部３２と、通信部３３と、制御部３５を備えている。
【００２５】
ファン３１は、モーターの回転によって回転し、室内９０の空気を外部に送る。ファン３１の回転速度が変わるとレンジフード３０の風量が変わる。
【００２６】
操作部３２は、ユーザーＵがレンジフード３０のＯＮとＯＦＦを切り換えることができるように構成されている。また、操作部３２は、レンジフード３０の風量を「弱」、「中」、「強」に切り換えることができるように構成されている。ユーザーＵが操作部３２を操作することによってレンジフード３０の風量の切り換えをすることができる。
【００２７】
レンジフード３０は、通信部３３を介して無線通信可能に構成されている。レンジフード３０の通信部３３は、ガスコンロ２０の通信部２３と無線通信する。レンジフード３０は、通信部３３、２３を介してガスコンロ２０からガスコンロ２０の動作状態に関する情報を受信する。また、レンジフード３０の通信部３３は、センサ４０の通信部４３と無線通信する。レンジフード３０は、通信部３３、４３を介してセンサ４０から室内９０の空気質に関する情報を受信する。制御部３５は、レンジフード３０の動作を制御する。
【００２８】
次に、レンジフード３０の風量について説明する。上記のレンジフード３０では、ユーザーＵがガスコンロ２０を使用する場合に、ガスコンロ２０の動作状態に適した風量がある。そこで、ガスコンロ２０の動作状態に応じたレンジフード３０の風量が予め設定されている。具体的には、ガスコンロ２０の「消火」、「弱」、「中」、「強」の各火力に応じて、レンジフード３０の風量「０（ＯＦＦ）」、「弱」、「中」、「強」が設定されている。
【００２９】
また、上記のレンジフード３０では、センサ４０が検知する室内９０の空気質に適した風量がある。そこで、センサ４０が検知する室内９０の空気質に応じたレンジフード３０の風量が予め設定されている。具体的には、室内９０の「正常」、「やや悪い」、「悪い」、「とても悪い」の各空気質に対応して、レンジフード３０の風量「０（ＯＦＦ）」、「弱」、「中」、「強」が設定されている。
【００３０】
次にガスファンヒーター５０について説明する。ガスファンヒーター５０は、室内９０を暖房する装置である。ガスファンヒーター５０は、燃料であるガスを燃焼させることによって生じる熱によって室内９０を暖房する。ガスファンヒーター５０は、開放燃焼式の暖房装置であり、室内９０の空気を利用してガスを燃焼させる。ガスファンヒーター５０は、室内９０のキッチン領域９１に配置されている。ガスファンヒーター５０は、ガスコンロ２０の下方に配置されている。ガスファンヒーター５０は、吹出口５１と、操作部５２と、通信部５３と、制御部５５（制御装置の一例）を備えている。
【００３１】
吹出口５１は、ガスコンロ２０のユーザーＵの足元に向けて温風を吹き出すように構成されている。吹出口５１は、キッチン領域９１の下部に向けて温風を吹き出すように構成されている。
【００３２】
操作部５２は、ユーザーＵがガスファンヒーター５０のＯＮとＯＦＦを切り換えることができるように構成されている。また、操作部５２は、ガスファンヒーター５０の出力を「弱」、「中」、「強」に切り換えることができるように構成されている。ユーザーＵが操作部５２を操作することによってガスファンヒーター５０の出力の切り換えをすることができる。
【００３３】
ガスファンヒーター５０は、通信部５３を介して無線通信可能に構成されている。ガスファンヒーター５０の通信部５３は、レンジフード３０の通信部３３と無線通信する。ガスファンヒーター５０は、通信部５３、３３を介してレンジフード３０からレンジフード３０の動作状態に関する情報を受信する。例えば、ガスファンヒーター５０は、レンジフード３０のＯＮ／ＯＦＦの情報をレンジフード３０から受信する。また、ガスファンヒーター５０は、レンジフード３０の風量「弱」、「中」、「強」の情報を受信してもよい。ガスファンヒーター５０の制御部５５は、ガスファンヒーター５０の動作を制御する。
【００３４】
（第１実施例）
次に、空調システム１の動作について説明する。まず、第１実施例について説明する。図２に示すように、第１実施例の初期状態では、ガスコンロ２０が点火しておらず、火力が「消火」であるとする。また、センサ４０が検知した室内９０の空気質が「正常」であるとする。また、レンジフード３０の風量が「０（ＯＦＦ）」であるとする。また、ガスファンヒーター５０の出力が「ＯＦＦ」であるとする。
【００３５】
この初期状態から、ガスコンロ２０のユーザーＵが操作部２２を操作することによってガスコンロ２０を点火したとする。また、ユーザーＵが操作部２２を操作することによってバーナー２１の火力を「弱」にしたとする。そうすると、ガスコンロ２０が火力「弱」で点火する。また、ガスコンロ２０は、火力「弱」の情報をレンジフード３０へ送信する（Ｓ１１）。レンジフード３０は火力「弱」の情報を受信する。
【００３６】
レンジフード３０は、ガスコンロ２０から火力「弱」の情報を受信すると、ＯＦＦからＯＮに切り換わり、換気運転を開始する。レンジフード３０は換気運転によって室内９０の空気を換気する。このときレンジフード３０は、ガスコンロ２０の火力「弱」に応じた風量「弱」で動作する。レンジフード３０の制御部３５が、ガスコンロ２０の火力「弱」の情報に基づいて、レンジフード３０の風量を「弱」に調節する。
【００３７】
また、レンジフード３０は、ＯＮになって換気運転を開始すると、それを特定する「ＯＮ」の情報をガスファンヒーター５０へ送信する（Ｓ１２）。また、レンジフード３０は、「ＯＮ」の情報とともに、ガスコンロ２０が点火したことを特定する情報（ガスコンロ点火情報）をガスファンヒーター５０へ送信する（Ｓ１２）。ガスファンヒーター５０は、レンジフード３０の「ＯＮ」の情報とガスコンロ点火情報を受信する。
【００３８】
ガスファンヒーター５０は、レンジフード３０から「ＯＮ」の情報を受信するとＯＦＦからＯＮに切り換わり、暖房運転（空調運転の一例）を開始する。すなわち、ガスファンヒーター５０の制御部５５が、レンジフード３０が換気運転を開始したことを特定する情報（「ＯＮ」の情報）に基づいて暖房運転を開始する。ガスファンヒーター５０は、出力「弱」で暖房運転を開始する。このときのガスファンヒーター５０の出力は、特に限定されるものではなく、「中」や「強」に設定されていてもよい。ガスファンヒーター５０は暖房運転によって室内９０を暖房するが、ガスコンロ２０の火力及びレンジフード３０の風量に応じて適切な出力に設定されることが好ましい。
【００３９】
その後、ガスコンロ２０が点火してから時間が経過したときに、室内９０の空気質が「正常」から「とても悪い（異常）」に変化したとする。例えば、ガスコンロ２０からの煙とガスファンヒーター５０からの燃焼排ガスによって、室内９０の空気質が「とても悪い」に変化したとする。室内９０の空気質は、センサ４０によって継続的に検知されている。センサ４０は、室内９０の空気質が「とても悪い（異常）」に変化したことを検知する。
【００４０】
センサ４０は、室内９０の空気質が「正常」から「とても悪い（異常）」に変化すると、検知した空気質「とても悪い（異常）」の情報をレンジフード３０へ送信する（Ｓ１３）。レンジフード３０は空気質「とても悪い（異常）」の情報を受信する。
【００４１】
レンジフード３０は、センサ４０から空気質「とても悪い（異常）」の情報を受信すると、その空気質「とても悪い（異常）」に応じた風量「強」で動作する。レンジフード３０の制御部３５が、室内９０の空気質「とても悪い（異常）」の情報に基づいて、レンジフード３０の風量を「強」に調節する。
【００４２】
また、レンジフード３０は、センサ４０から空気質「とても悪い（異常）」の情報を受信すると、室内９０の空気質が異常であることを特定する情報（空気質異常情報）をガスファンヒーター５０へ送信する（Ｓ１４）。ガスファンヒーター５０は、空気質異常情報を受信する。
【００４３】
ガスファンヒーター５０は、レンジフード３０から空気質異常情報を受信すると、ＯＮからＯＦＦに切り換わり、暖房運転を停止する。すなわち、ガスファンヒーター５０の制御部５５が、空気質異常情報に基づいてガスファンヒーター５０をＯＦＦにする。室内９０の空気質が異常である場合は、ガスファンヒーター５０による暖房運転が行われない。
【００４４】
以上、第１実施例の動作について説明した。上記の説明から明らかなように、実施例に係る空調システム１は、室内９０の空気を換気するレンジフード３０と、室内９０を暖房するガスファンヒーター５０と、ガスファンヒーター５０の制御部５５を備えている。制御部５５は、レンジフード３０が室内９０の空気を換気する換気運転を開始すると、その運転の変化内容を特定する「ＯＮ」の情報に基づいて、ガスファンヒーター５０によって室内９０を暖房する暖房運転を開始する（Ｓ１２参照）。
【００４５】
レンジフード３０が配置されている室９では、レンジフード３０が換気運転を開始すると、室外から外気が室内９０に導入されると同時に、室内９０の空気がレンジフード３０に吸い上げられて気流が発生する。そうすると、発生した気流によって室内９０に居るユーザーＵが冬季は寒さを感じるおそれがある。しかしながら、上記の構成によれば、レンジフード３０が換気運転を開始すると、ガスファンヒーター５０の制御部５５がガスファンヒーター５０による暖房運転を開始するので室内９０の空気が暖房運転によって暖められる。これによって、室内９０に居るユーザーＵが寒さを感じることを抑制できる。
【００４６】
また、上記の空調システム１は、ガスコンロ２０を備えており、レンジフード３０が、ガスコンロ２０の動作状態に基づいて換気運転を開始する。
【００４７】
ガスコンロ２０の動作に基づいてレンジフード３０が換気運転を開始すると、ガスコンロ２０のユーザーＵが換気運転によって寒さを感じるおそれがあるが、ガスファンヒーター５０の制御部５５が暖房運転を開始するので、ガスコンロ２０のユーザーＵが寒さを感じることを抑制できる。
【００４８】
また、上記のガスファンヒーター５０は、ガスコンロ２０のユーザーＵの足元に向けて温風を吹き出す吹出口５１を備えている。
【００４９】
このような構成によれば、ユーザーＵの足元から暖めることができるので、ユーザーＵの足元に冷たい空気が流れ込んだとしても、ユーザーＵが寒さを感じることを抑制できる。例えば、室外の空気が冷たいときにレンジフード３０による換気運転が開始されると、室外の空気が室内９０に流れ込むときにユーザーＵの足元に冷たい空気が流れ込みやすくなる。このような場合であっても、ユーザーＵの足元に向けて温風を吹き出す吹出口５１を設けることによって、ユーザーＵを足元から暖めることができる。
【００５０】
以上、一実施例について説明したが、具体的な態様は上記実施例に限定されるものではない。以下の説明において、上記の説明における構成と同様の構成については同一の符号を付して説明を省略する。
【００５１】
（第２実施例）
上記の実施例では、レンジフード３０が室内９０の空気を換気する換気運転を開始すると、それを特定する「ＯＮ」の情報に基づいて、ガスファンヒーター５０の制御部５５が、ガスファンヒーター５０によって室内９０を暖房する暖房運転を開始する構成であったが、この構成に限定されるものではない。他の実施例では、ガスファンヒーター５０の制御部５５が、レンジフード３０の「ＯＮ」の情報に基づいて、暖房運転における暖房熱量を増量する構成であってもよい。
【００５２】
図３に示すように、第２実施例の初期状態では、ガスファンヒーター５０が既にＯＮになっており、暖房運転が既に行われているとする。例えば、ガスコンロ２０のユーザーＵがガスコンロ２０の使用に先立って、ガスファンヒーター５０の操作部５２を操作することによってガスファンヒーター５０をＯＮにしていたとする。また、ユーザーＵが操作部５２を操作することによって、ガスファンヒーター５０の出力を「弱」にしていたとする。
【００５３】
この状態において、ガスファンヒーター５０がレンジフード３０から「ＯＮ」の情報を受信すると（Ｓ１２）、ガスファンヒーター５０の出力が「弱」から「中」に切り換わる。すなわち、ガスファンヒーター５０の暖房運転における暖房熱量が増量する。ガスファンヒーター５０の制御部５５が、レンジフード３０が換気運転を開始したことを特定する情報に基づいて暖房運転における暖房熱量を増量する。ガスファンヒーター５０は、出力「中」で暖房運転を行う。暖房運転によって室内９０が暖房される。
【００５４】
以上のように、第２実施例に係る空調システム１では、レンジフード３０が室内９０の空気を換気する換気運転を開始すると、その運転の変化内容を特定する「ＯＮ」の情報に基づいて（Ｓ１２参照）、ガスファンヒーター５０の制御部５５が、ガスファンヒーター５０によって室内９０を暖房する暖房運転における暖房熱量を増量する。このような構成によっても、第１実施例と同様に、増量した暖房熱量によって室内９０の空気が暖められるので、室内９０に居るユーザーＵが寒さを感じることを抑制できる。
【００５５】
（第３実施例）
上記の実施例では、ガスコンロ２０の動作に基づいてレンジフード３０が換気運転を開始する構成であったが、この構成に限定されるものではない。他の実施例では、センサ４０が検知した室内９０の空気質に基づいてレンジフード３０が換気運転を開始する構成であってもよい。
【００５６】
図４に示すように、第３実施例の初期状態は、上記の第１実施例の初期状態と同じであるとする。すなわち、第３実施例の初期状態は、ガスコンロ２０が点火しておらず、火力が「消火」であるとする。また、センサ４０が検知した室内９０の空気質が「正常」であるとする。また、レンジフード３０の風量が「０（ＯＦＦ）」であるとする。また、ガスファンヒーター５０の出力が「ＯＦＦ」であるとする。
【００５７】
この初期状態から時間が経過したときに、室内９０の空気質が「正常」から「とても悪い（異常）」に変化したとする。例えば、ゴミ箱からの異臭によって、室内９０の空気質が「とても悪い」に変化したとする。室内９０の空気質は、センサ４０によって継続的に検知されている。センサ４０は、室内９０の空気質が「とても悪い（異常）」に変化したことを検知する。
【００５８】
センサ４０は、室内９０の空気質が「正常」から「とても悪い（異常）」に変化すると、検知した空気質「とても悪い（異常）」の情報をレンジフード３０へ送信する（Ｓ２１）。レンジフード３０は空気質「とても悪い（異常）」の情報を受信する。
【００５９】
レンジフード３０は、センサ４０から空気質「とても悪い（異常）」の情報を受信すると、ＯＦＦからＯＮに切り換わり、換気運転を開始する。レンジフード３０は換気運転によって室内９０の空気を換気する。このときレンジフード３０は、センサ４０が検知した室内９０の空気質「とても悪い（異常）」に応じた風量「強」で動作する。レンジフード３０の制御部３５が、室内９０の空気質「とても悪い（異常）」の情報に基づいて、レンジフード３０の風量を「強」に調節する。
【００６０】
また、レンジフード３０は、センサ４０から空気質「とても悪い（異常）」の情報を受信すると、室内９０の空気質が異常であることを特定する情報（空気質異常情報）をガスファンヒーター５０へ送信する（Ｓ２２）。ガスファンヒーター５０は、空気質異常情報を受信する。
【００６１】
ガスファンヒーター５０は、レンジフード３０から空気質異常情報を受信すると、ＯＦＦの状態を維持し、暖房運転を開始しない。すなわち、ガスファンヒーター５０の制御部５５は、レンジフード３０が室内９０の空気質に基づいて換気運転を開始した場合は、ガスファンヒーター５０を動作させない。室内９０の空気質が異常である場合は、ガスファンヒーター５０による暖房運転が行われない。
【００６２】
以上、第３実施例の動作について説明した。上記の説明から明らかなように、上記の空調システム１は、室内９０の空気質を検知するセンサ４０を備えている。ガスファンヒーター５０は、燃料であるガスを燃焼させ、その燃焼物を室内に放出することによって暖房する暖房装置である。レンジフード３０は、センサ４０が検知した室内９０の空気質に基づいて換気運転を開始する。ガスファンヒーター５０の制御部５５は、レンジフード３０が室内９０の空気質に基づいて換気運転を開始したとき、ガスファンヒーター５０が暖房運転を実行していない場合は暖房運転を開始しない。
【００６３】
このような構成によれば、室内９０の空気質に基づいて室内９０の空気を換気することができる。例えば、ゴミ箱からの異臭によって室内９０の空気質が悪化した場合に、レンジフード３０によって室内９０の空気を換気することができる。一方、ガスファンヒーター５０が燃料（ガス）を燃焼させる構成であるので、ガスファンヒーター５０の暖房運転によって燃焼排ガスが発生し、その燃焼排ガスによって室内９０の空気質が悪化する可能性がある。そこで、上記の構成では、レンジフード３０が室内９０の空気質に基づいて換気運転を開始したとき、ガスファンヒーター５０が暖房運転を実行していない場合は、ガスファンヒーター５０による暖房運転を開始しない。これによって、例えば、ゴミ箱からの異臭によって室内９０の空気質が悪化した場合に、それに基づいてレンジフード３０が換気運転を開始した場合は、それ以上室内９０の空気質を悪化させないために、ガスファンヒーター５０による暖房運転を開始しない。このような構成によれば、ガスファンヒーター５０から燃焼排ガスが発生することがないので、ガスファンヒーター５０によって室内９０の空気質が更に悪化することを抑制できる。
【００６４】
上記の第３実施例では、レンジフード３０が換気運転を開始した場合について説明したが、この構成に限定されるものではない。レンジフード３０が換気運転における風量を増量した場合も、上記と同様に、ガスファンヒーター５０の制御部５５が暖房運転を開始しない構成であってもよい。例えば、レンジフード３０が既に風量「中」で動作しており、センサ４０によって検知される室内９０の空気質が「とても悪い（異常）」に変化したことによって、レンジフード３０の風量が「中」から「強」に増量したとする。すなわち、レンジフード３０が室内９０の空気質に基づいて換気運転における風量を増量したとする。このとき、ガスファンヒーター５０の制御部５５は、ガスファンヒーター５０が暖房運転を実行していない場合は、暖房運転を開始せずにガスファンヒーター５０の出力を「ＯＦＦ」に維持する。このような構成によっても、上記と同様に、ガスファンヒーター５０によって室内９０の空気質が更に悪化することを抑制できる。
【００６５】
（第４実施例）
上記の実施例では、レンジフード３０が室内９０の空気質に基づいて換気運転を開始した場合は、ガスファンヒーター５０の制御部５５が、ガスファンヒーター５０による暖房運転を開始しない構成であったが、この構成に限定されるものではない。他の実施例では、ガスファンヒーター５０の制御部５５が、ガスファンヒーター５０による暖房運転における暖房熱量を増量しない構成であってもよい。
【００６６】
図５に示すように、第４実施例の初期状態は、上記の第２実施例の初期状態と同じであるとする。すなわち、第４実施例の初期状態では、ガスコンロ２０が点火しておらず、火力が「消火」であるとする。また、センサ４０が検知した室内９０の空気質が「正常」であるとする。また、レンジフード３０の風量が「０（ＯＦＦ）」であるとする。また、ガスファンヒーター５０が既にＯＮになっており、暖房運転が既に行われているとする。例えば、ガスコンロ２０のユーザーＵがガスコンロ２０の使用に先立って、ガスファンヒーター５０の操作部５２を操作することによってガスファンヒーター５０をＯＮにしていたとする。また、ユーザーＵが操作部５２を操作することによって、ガスファンヒーター５０の出力を「弱」にしていたとする。
【００６７】
この状態において、ガスファンヒーター５０は、レンジフード３０から空気質異常情報を受信すると（Ｓ２２）、ＯＮからＯＦＦに切り換わり、暖房運転を停止する。すなわち、ガスファンヒーター５０の制御部５５は、レンジフード３０が室内９０の空気質に基づいて換気運転を開始した場合は、暖房運転における暖房熱量を増量せず、ガスファンヒーター５０をＯＦＦにする。室内９０の空気質が異常である場合は、ガスファンヒーター５０による暖房運転が行われない。
【００６８】
以上のように、第４実施例に係る空調システム１では、レンジフード３０が室内９０の空気質に基づいて換気運転を開始したとき、ガスファンヒーター５０が暖房運転を実行している場合は、ガスファンヒーター５０の制御部５５が、暖房運転における暖房熱量を増量しない（減量する）。このような構成によっても、第３実施例と同様に、ガスファンヒーター５０によって室内９０の空気質が更に悪化することを抑制できる。
【００６９】
（第５実施例）
また、上記の第１実施例では、レンジフード３０が換気運転を開始すると、ガスファンヒーター５０の制御部５５が暖房運転を開始する構成であったが、この構成に限定されるものではない。他の実施例では、レンジフード３０が換気運転における風量を増量すると、ガスファンヒーター５０の制御部５５が暖房運転を開始する構成であってもよい。
【００７０】
図６に示すように、第５実施例の初期状態では、ガスコンロ２０が点火しておらず、火力が「消火」であるとする。また、センサ４０が検知した室内９０の空気質が「正常」であるとする。また、レンジフード３０の風量が「弱」であるとする。すなわち、レンジフード３０が既にＯＮになっており、換気運転が既に行われているとする。例えば、ガスコンロ２０のユーザーＵがガスコンロ２０の使用に先立って、レンジフード３０の操作部３２を操作することによってレンジフード３０をＯＮにしていたとする。また、ユーザーＵが操作部３２を操作することによって、レンジフード３０の風量を「弱」にしていたとする。また、初期状態では、ガスファンヒーター５０の出力が「ＯＦＦ」であるとする。
【００７１】
この初期状態から、ガスコンロ２０のユーザーＵが操作部２２を操作することによってガスコンロ２０を点火したとする。また、ユーザーＵが操作部２２を操作することによってバーナー２１の火力を「中」にしたとする。そうすると、ガスコンロ２０が火力「中」で点火する。また、ガスコンロ２０は、火力「中」の情報をレンジフード３０へ送信する（Ｓ３１）。レンジフード３０は火力「中」の情報を受信する。
【００７２】
レンジフード３０は、ガスコンロ２０から火力「中」の情報を受信すると、風量が切り換わり、ガスコンロ２０の火力「中」に応じた風量「中」で動作する。レンジフード３０の制御部３５が、ガスコンロ２０の火力「中」の情報に基づいて、レンジフード３０の風量を「中」に調節する。レンジフード３０の風量が「弱」から「中」に増量する。レンジフード３０は風量「中」で換気運転を行う。
【００７３】
また、レンジフード３０は、風量「中」で動作すると、それを特定する風量「中」の情報をガスファンヒーター５０へ送信する（Ｓ３２）。また、レンジフード３０は、風量「中」の情報とともに、ガスコンロ２０が点火したことを特定する情報（ガスコンロ点火情報）をガスファンヒーター５０へ送信する（Ｓ３２）。また、レンジフード３０は、風量「中」の情報とともに、風量が増量したことを特定する情報（風量増量情報）をガスファンヒーター５０へ送信する（Ｓ３２）。ガスファンヒーター５０は、レンジフード３０の風量「中」の情報とガスコンロ点火情報と風量増量情報を受信する。
【００７４】
ガスファンヒーター５０は、レンジフード３０から風量増量情報を受信するとＯＦＦからＯＮに切り換わり、暖房運転を開始する。すなわち、ガスファンヒーター５０の制御部５５が、レンジフード３０の換気運転における風量が増量したことを特定する情報（風量増量情報）に基づいて暖房運転を開始する。ガスファンヒーター５０は、出力「弱」で暖房運転を開始する。このときのガスファンヒーター５０の出力は、特に限定されるものではなく、「中」や「強」に設定されていてもよいが、ガスコンロ２０の火力及びレンジフード３０の風量に応じて適切な出力に設定されることが好ましい。ガスファンヒーター５０は暖房運転によって室内９０を暖房する。
【００７５】
以上のように、第５実施例に係る空調システム１では、レンジフード３０が換気運転における風量を増量すると、その運転の変化内容を特定する風量増量情報に基づいて（Ｓ３２参照）、ガスファンヒーター５０の制御部５５が、ガスファンヒーター５０によって室内９０を暖房する暖房運転を開始する。このような構成によっても、第１実施例と同様に、室内９０の空気が暖房運転によって暖められるので、室内９０に居るユーザーＵが寒さを感じることを抑制できる。
【００７６】
（第６実施例）
また、上記の第２実施例では、レンジフード３０が換気運転を開始すると、ガスファンヒーター５０の制御部５５が暖房運転における暖房熱量を増量する構成であったが、この構成に限定されるものではない。他の実施例では、レンジフード３０が換気運転における風量を増量すると、ガスファンヒーター５０の制御部５５が暖房運転における暖房熱量を増量する構成であってもよい。
【００７７】
図７に示すように、第６実施例の初期状態では、ガスコンロ２０が点火しておらず、火力が「消火」であるとする。また、センサ４０が検知した室内９０の空気質が「正常」であるとする。また、レンジフード３０の風量が「弱」であるとする。すなわち、レンジフード３０が既にＯＮになっており、換気運転が既に行われているとする。例えば、ガスコンロ２０のユーザーＵがガスコンロ２０の使用に先立って、レンジフード３０の操作部３２を操作することによってレンジフード３０をＯＮにしていたとする。また、ユーザーＵが操作部３２を操作することによって、レンジフード３０の風量を「弱」にしていたとする。また、ガスファンヒーター５０が既にＯＮになっており、暖房運転が既に行われているとする。例えば、ガスコンロ２０のユーザーＵがガスコンロ２０の使用に先立って、ガスファンヒーター５０の操作部５２を操作することによってガスファンヒーター５０をＯＮにしていたとする。また、ユーザーＵが操作部５２を操作することによって、ガスファンヒーター５０の出力を「弱」にしていたとする。
【００７８】
この初期状態から、上記の第５実施例と同様に、ガスコンロ２０のユーザーＵが操作部２２を操作することによってガスコンロ２０を点火したとする。また、ユーザーＵが操作部２２を操作することによってバーナー２１の火力を「中」にしたとする。そうすると、ガスコンロ２０が火力「中」で点火する。また、ガスコンロ２０は、火力「中」の情報をレンジフード３０へ送信する（Ｓ３１）。レンジフード３０は火力「中」の情報を受信する。
【００７９】
レンジフード３０は、ガスコンロ２０から火力「中」の情報を受信すると、風量が切り換わり、ガスコンロ２０の火力「中」に応じた風量「中」で動作する。レンジフード３０の制御部３５が、ガスコンロ２０の火力「中」の情報に基づいて、レンジフード３０の風量を「中」に調節する。レンジフード３０の風量が「弱」から「中」に増量する。レンジフード３０は風量「中」で換気運転を行う。
【００８０】
また、レンジフード３０は、風量「中」で動作すると、それを特定する風量「中」の情報をガスファンヒーター５０へ送信する（Ｓ３２）。また、レンジフード３０は、風量「中」の情報とともに、ガスコンロ２０が点火したことを特定する情報（ガスコンロ点火情報）をガスファンヒーター５０へ送信する（Ｓ３２）。また、レンジフード３０は、風量「中」の情報とともに、風量が増量したことを特定する情報（風量増量情報）をガスファンヒーター５０へ送信する（Ｓ３２）。ガスファンヒーター５０は、レンジフード３０の風量「中」の情報とガスコンロ点火情報と風量増量情報を受信する。
【００８１】
ガスファンヒーター５０がレンジフード３０から風量増量情報を受信すると（Ｓ３２）、ガスファンヒーター５０の出力が「弱」から「中」に切り換わる。すなわち、ガスファンヒーター５０の暖房運転における暖房熱量が増量する。ガスファンヒーター５０の制御部５５が、レンジフード３０の換気運転における風量が増量したことを特定する情報（風量増量情報）に基づいて暖房運転における暖房熱量を増量する。ガスファンヒーター５０は、出力「中」で暖房運転を行う。暖房運転によって室内９０が暖房される。
【００８２】
以上のように、第６実施例に係る空調システム１では、レンジフード３０が換気運転における風量を増量すると、その運転の変化内容を特定する風量増量情報に基づいて（Ｓ３２参照）、ガスファンヒーター５０の制御部５５が、ガスファンヒーター５０によって室内９０を暖房する暖房運転における暖房熱量を増量する。このような構成によっても、第２実施例と同様に、増量した暖房熱量によって室内９０の空気が暖められるので、室内９０に居るユーザーＵが寒さを感じることを抑制できる。
【００８３】
（第７実施例）
第７実施例に係る空調システム１は、図１に示すように、室内９０の温度を検出する温度センサ８１を備えている。この温度センサ８１は、室内９０のキッチン領域９１に配置されており、キッチン領域９１の温度を検出する。温度センサ８１は、ガスファンヒーター５０に取り付けられている。第７実施例に係る空調システム１では、ガスファンヒーター５０の制御部５５が、温度センサ８１で検出される室内９０の温度に基づいて暖房運転を実行する。また、ガスファンヒーター５０の制御部５５は、目標暖房温度（目標空調温度の一例）に基づいて暖房運転を実行する。制御部５５は、温度センサ８１で検出される室内９０の温度が目標暖房温度になるように暖房運転を実行する。制御部５５は、温度センサ８１で検出される室内９０の温度と目標暖房温度との温度差が小さくなるように暖房運転を実行する。例えば、暖房運転における目標暖房温度が２０℃であり、温度センサ８１で検出される現在の室内９０の温度が１８℃である場合は、制御部５５が、両者の温度差である２℃の差を埋め合わせるように暖房運転を実行する。
【００８４】
また、第７実施例に係る空調システム１では、レンジフード３０の制御部３５が換気運転における風量を増量すると、ガスファンヒーター５０の制御部５５が暖房運転における目標暖房温度を補正して、目標暖房温度を高くする。制御部５５は、換気運転における風量に応じた温度補正値で目標暖房温度を補正する。また、制御部５５は、温度センサ８１で検出される室内９０の温度が補正後の目標暖房温度になるように暖房運転を実行する。例えば、レンジフード３０の換気運転における風量が「弱」であり、ガスファンヒーター５０の暖房運転における目標暖房温度が２０℃であるとする。その状態から、レンジフード３０の制御部３５が風量を「弱」から「中」に増量したとする。レンジフード３０の制御部３５は、風量「中」の情報をガスファンヒーター５０へ送信する。ガスファンヒーター５０の制御部５５が風量「中」の情報を受信する。
【００８５】
ガスファンヒーター５０の制御部５５は、レンジフード３０から風量「中」の情報を受信すると、その風量「中」に応じた温度補正値（例えば２℃）を設定する。温度補正値は、レンジフード３０の風量に応じて設定される。例えば、レンジフード３０の風量が「弱」になる場合は、温度補正値を１℃とし、風量が「中」になる場合は、温度補正値を２℃とし、風量が「強」になる場合は、温度補正値を３℃とすることができる。また、制御部５５は、設定した温度補正値に基づいて目標暖房温度を補正して、目標暖房温度を高くする。例えば、制御部５５は、目標暖房温度を２２℃（＝２０℃＋２℃）に補正する。そして、制御部５５は、温度センサ８１で検出される室内９０の温度が補正後の目標暖房温度（例えば２２℃）になるように暖房運転における熱量を増量する。制御部５５は、暖房運転における出力を例えば「弱」から「中」に変更して熱量を増量する。
【００８６】
以上のように、第７実施例に係る空調システム１は、室内９０の温度を検出する温度センサ８１を備えている。ガスファンヒーター５０は、温度センサ８１で検出される室内９０の温度と目標暖房温度に基づいて暖房運転を実行するように構成されている。ガスファンヒーター５０の制御部５５は、レンジフード３０が換気運転における風量を増量すると、その運転の変化内容を特定する情報に基づいて、換気運転における風量（例えば「中」）に応じて暖房運転における温度補正値（例えば２℃）を設定することで暖房運転における熱量を増量する。
【００８７】
この構成によれば、レンジフード３０の換気運転における風量に応じて温度補正値を設定し、その温度補正値に基づいて目標暖房温度を補正することで熱量を増量するので、ガスファンヒーター５０の制御部５５による簡素な制御によって、ガスファンヒーター５０による暖房運転を開始する又は暖房運転における熱量を増量することができる。
【００８８】
上記の第７実施例では、ガスファンヒーター５０の制御部５５が温度補正値を設定し、設定した温度補正値に基づいて目標暖房温度を補正して、目標暖房温度を高くする構成について説明したが、この構成に限定されるものではない。他の実施例では、ガスファンヒーター５０の制御部５５が温度補正値を設定し、設定した温度補正値に基づいて温度センサ８１の検出温度を補正して、検出温度を見かけ上低くしてもよい。例えば、温度センサ８１の検出温度が１８℃である場合は、設定した温度補正値（２℃）に基づいて、見かけ上の検出温度を１６℃（＝１８℃−２℃）に補正する。そして、制御部５５は、温度センサ８１で検出される室内９０の温度が目標暖房温度（例えば２０℃）になるように暖房運転における熱量を増量する。制御部５５は、目標暖房温度（例えば２０℃）と温度センサ８１の見かけ上の検出温度（例えば１６℃）との温度差（４℃）を埋め合わせるように暖房運転を実行する。この構成によっても、上記と同様に、換気運転における風量に応じて温度補正値を設定し、温度センサ８１の検出温度を見かけ上補正することで熱量を増量するので、暖房運転における温度管理を適切に行うことができ、室内９０の温度を適度な温度にすることができる。よって、室内９０の温度をユーザーＵにとって快適な温度にすることができる。
【００８９】
また、上記の第７実施例では、レンジフード３０の制御部３５が換気運転における風量を増量するときの制御について説明したが、この構成に限定されるものではなく、レンジフード３０の制御部３５が換気運転を開始するときの制御についても上記と同様である。すなわち、ガスファンヒーター５０の制御部５５は、レンジフード３０の制御部３５が換気運転を開始すると、その運転の変化内容を特定する情報に基づいて、換気運転における風量に応じて暖房運転における温度補正値を設定する。また、ガスファンヒーター５０の制御部５５が暖房運転を開始する場合も、上記と同様に、換気運転における風量に応じて暖房運転における温度補正値を設定する。
【００９０】
（その他の実施例）
上記の実施例では、ガスファンヒーター５０の通信部５３が、レンジフード３０の通信部３３と無線通信する構成であったが、この構成に限定されるものではない。他の実施例では、ガスファンヒーター５０の通信部５３が、ガスコンロ２０の通信部２３及びセンサ４０の通信部４３とも無線通信する構成であってもよい。
【００９１】
上記の第１及び第２実施例では、レンジフード３０からガスファンヒーター５０にガスコンロ点火情報が送信される構成であったが、この構成に限定されるものではない。他の実施例では、ガスコンロ２０からガスファンヒーター５０にガスコンロ点火情報が送信される構成であってもよい。ガスコンロ２０は、火力の情報をレンジフード３０へ送信するとともに、ガスコンロ点火情報をガスファンヒーター５０へ送信する。レンジフード３０は、ガスコンロ２０から受信した火力の情報に基づいて換気運転を開始する。ガスファンヒーター５０は、ガスコンロ点火情報を受信することによって、レンジフード３０が換気運転を開始したことを間接的に特定することができる。または、レンジフード３０の運転情報をガスコンロ２０を経由してガスファンヒーター５０が受信してもよい。ガスファンヒーター５０の制御部５５は、レンジフード３０が換気運転を開始したことを特定する情報（この場合はガスコンロ点火情報）に基づいて暖房運転を開始することができる。
【００９２】
また、上記の各実施例では、レンジフード３０からガスファンヒーター５０に空気質異常情報が送信される構成であったが、この構成に限定されるものではない。他の実施例では、センサ４０からガスファンヒーター５０に空気質異常情報が送信される構成であってもよい。センサ４０は、室内９０の空気質の情報をレンジフード３０へ送信するとともに、空気質異常情報をガスファンヒーター５０へ送信する。レンジフード３０は、センサ４０から受信した空気質の情報に基づいて換気運転を開始する又は換気運転における風量を増量する。ガスファンヒーター５０は、空気質異常情報を受信することによって、空気質に基づいてレンジフード３０が換気運転を開始したこと又は換気運転における風量を増量したことを間接的に特定することができる。または、レンジフード３０が空気質に基づいて換気運転を開始したことを、センサ４０を経由してガスファンヒーター５０が受信してもよい。ガスファンヒーター５０の制御部５５は、レンジフード３０が室内９０の空気質に基づいて換気運転を開始した場合又は換気運転における風量を増量した場合は、暖房運転を開始しない又は暖房運転における暖房熱量を増量しない（暖房熱量を維持する又は減量する）。
【００９３】
また、上記の第１、２、４実施例では、ガスファンヒーター５０がレンジフード３０から空気質異常情報を受信すると、ガスファンヒーター５０の出力がＯＦＦになる構成であったが、この構成に限定されるものではない。他の実施例では、ガスファンヒーター５０がレンジフード３０から空気質異常情報を受信すると、ガスファンヒーター５０の出力が「弱」または「中」で維持される構成であってもよい。あるいは、ガスファンヒーター５０の出力が「中」から「弱」に下がる構成であってもよい。すなわち、暖房運転における暖房熱量を増量せずに維持する又は減量する構成であってもよい。ガスファンヒーター５０の制御部５５は、レンジフード３０が室内９０の空気質に基づいて換気運転を開始したとき又は換気運転における風量を増量したときに、ガスファンヒーター５０が暖房運転を実行していない場合は暖房運転を開始しない。一方、ガスファンヒーター５０が暖房運転を実行している場合は暖房運転における暖房熱量を維持する又は減量する。なお、ガスファンヒーター５０の出力がＯＮからＯＦＦになることも、暖房熱量を減量することに含まれる。
【００９４】
さらに、上記の実施例では、ガスファンヒーター５０がレンジフード３０から空気質異常情報を受信すると、ガスファンヒーター５０の出力がＯＦＦになる構成であったが、他の実施例では、空気質異常情報を例えば「悪臭」と「ＣＯ、燃焼排ガス」のように安全と不安全に分類し、不安全の情報の場合にのみ、ガスファンヒーター５０の出力がＯＦＦになる構成であってもよい。
【００９５】
さらに、上記の実施例では、空調装置としてガスファンヒーター５０を用いて、室内９０に居るユーザーＵが冬季に寒さを感じることを抑制する構成について説明したが、この構成に限定されるものではない。他の実施例では、夏季に空調装置として、クーラー（空調装置の１つとしての冷房装置の一例）を用いてもよい。クーラーは、室内９０を冷房する冷房運転（空調運転の一例）を実行可能である。クーラーの冷熱量を増量することで室内９０を冷房することができる。クーラーの制御部（制御装置の一例）は、レンジフード３０が室内９０の空気を換気する換気運転を開始する又は換気運転における風量を増量すると、その運転の変化内容を特定する情報に基づいて、室内９０を冷房する冷房運転を開始する又は冷房運転における冷熱量を増量する。このような構成によれば、室内９０に居るユーザーＵが夏季に暑さを感じることを抑制できる。
【００９６】
また、クーラーは、温度センサ８１で検出される室内９０の温度と目標冷房温度（目標空調温度の一例）に基づいて空調運転を実行してもよい。クーラーの制御部は、レンジフード３０の換気運転における風量に応じて冷房運転における温度補正値を設定してもよい。
【００９７】
また、他の実施例では、室内９０の温度を検出する温度センサ８１が、ガスファンヒーター５０に取り付けられていなくてもよい。温度センサ８１が、レンジフード３０又はガスコンロ２０に取り付けられていてもよい。また、センサ４０が温度センサ８１の機能を備えていてもよい。あるいは、センサ４０と温度センサ８１が別体であり、温度センサ８１がセンサ４０とは別の位置に配置されていてもよい。
【００９８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９９】
１      ：空調システム
９      ：室
２０    ：ガスコンロ
２１    ：バーナー
２２    ：操作部
２３    ：通信部
３０    ：レンジフード
３１    ：ファン
３２    ：操作部
３３    ：通信部
３５    ：制御部
４０    ：センサ
４３    ：通信部
５０    ：ガスファンヒーター
５１    ：吹出口
５２    ：操作部
５３    ：通信部
５５    ：制御部
８１    ：温度センサ
９０    ：室内
９１    ：キッチン領域
９２    ：ダイニング領域
【図１】
2018048800.tif 000003
【図２】
2018048800.tif 000004
【図３】
2018048800.tif 000005
【図４】
2018048800.tif 000006
【図５】
2018048800.tif 000007
【図６】
2018048800.tif 000008
【図７】
2018048800.tif 000009